(57)【特許請求の範囲】
【請求項１】
ディスプレイ収納ケースに対して起立状態と倒伏収納状態とに変位可能なディスプレイと、上記ディスプレイの起伏動作に連動して上記ディスプレイ収納ケースの開口部を開閉する回転式カバーと、を備えた収納式ディスプレイ装置において、
上記回転式カバーを、上記ディスプレイ収納ケースに揺動自在に軸支された第１のカバー体と、この第１のカバー体の自由端側に揺動自在に連結された第２のカバー体と、に分割形成し、
上記第２のカバー体を上記ディスプレイに揺動自在に連結したことを特徴とする収納式ディスプレイ装置。
【請求項２】
上記第２のカバー体は、上記ディスプレイが起立状態にあるとき、上記第１のカバー体と上記第２のカバー体の連結部を介して、上記第１のカバー体に対して内方に折れ曲がるように展開することを特徴とする請求項１に記載の収納式ディスプレイ装置。
【請求項３】
上記ディスプレイが起立状態にあるとき上記ディスプレイの側面に沿って上記ディスプレイと上記回転式カバーとの間隙を閉塞する側板を有し、
上記側板を複数の側板部材に分割して上記ディスプレイの起伏動作に連動する複数の部材に設けたことを特徴とする請求項１または請求項２に記載の収納式ディスプレイ装置。
【請求項４】
上記側板の下縁部を外側水平に折り曲げて上記ディスプレイ収納ケースの側壁と摺接可能な摺接部を形成したことを特徴とする請求項３に記載の収納式ディスプレイ装置。
【発明の詳細な説明】
【０００１】
【発明の属する技術分野】
本発明は、ディスプレイ収納ケースに対してディスプレイが起立状態と倒伏収納状態とに変位可能な収納式ディスプレイ装置に関する。
【０００２】
【従来の技術】
従来より、車載のナビゲーション装置等に用いられるディスプレイ装置においては、例えば特開平１１−１２５５３０号公報に開示されているように、液晶ディスプレイ（ディスプレイ）がディスプレイ収納ケースに対して回転しながら起立状態と倒伏収納状態とに変位可能なものがある。この種の収納式ディスプレイ装置は、ディスプレイに連動する回転式カバー（上板）を有し、この回転式カバーは、ディスプレイが倒伏収納状態にあるときディスプレイ収納ケースの開口部を閉塞するとともに、ディスプレイが起立状態にあるときディスプレイ収納ケースの開口部を開放するようディスプレイに連動される。
【０００３】
ところで、一般に、このような回転式カバーの軸部はディスプレイの軸部とは異なる位置に設定されており、回転式カバーの開閉時における自由端側の軌道はディスプレイの起伏時における自由端側の軌道とは異なるため、回転式カバーとディスプレイとをヒンジ等を介して連結することは困難である。特に、特開平１１−１２５５３０号公報に開示されている技術のように、ディスプレイの軸部がガイド溝を移動しながら回転する場合には、ディスプレイの自由端側の軌道は複雑なものとなるため、これらの連結はより困難なものとなる。従って、このような収納式ディスプレイ装置においては、一般に、回転式カバーをスプリング等を介してディスプレイ側に付勢しながら、ディスプレイの自由端側を回転式カバーの内面に沿って摺動させる構成等がとられている。
【０００４】
【発明が解決しようとする課題】
しかしながら、上述のように、回転式カバーを単にスプリングの付勢力だけでディスプレイに係合させる構成とすると、搭乗者等がスプリングの付勢力に抗して回転式カバーを持ち上げることが容易となる。そして、搭乗者等により回転式カバーが持ち上げられた際には、ディスプレイの上部に間隙が生じ、この間隙からディスプレイ収納ケース内部の構造が外部にさらされたり異物が混入する等してカバーとしての機能を十分に果たさない虞がある。
【０００５】
また、ディスプレイの起伏動作時にディスプレイの自由端側を回転式カバー内面に沿って摺動させる構成は、ディスプレイと回転式カバーとの間でがたつきが発生しやすく回転式カバーのスムーズな開閉が困難となる虞がある。
【０００６】
本発明は上記事情に鑑みてなされたもので、回転式カバーの機能性を向上し、且つ回転式カバーをスムーズに開閉することができる収納式ディスプレイ装置を提供することを目的とする。
【０００７】
【課題を解決するための手段】
上記課題を解決するため、請求項１記載の発明による収納式ディスプレイ装置は、ディスプレイ収納ケースに対して起立状態と倒伏収納状態とに変位可能なディスプレイと、上記ディスプレイの起伏動作に連動して上記ディスプレイ収納ケースの開口部を開閉する回転式カバーと、を備えた収納式ディスプレイ装置において、上記回転式カバーを、上記ディスプレイ収納ケースに揺動自在に軸支された第１のカバー体と、この第１のカバー体の自由端側に揺動自在に連結された第２のカバー体と、に分割形成し、上記第２のカバー体を上記ディスプレイに揺動自在に連結したことを特徴とする。
【０００８】
また、請求項２記載の発明による収納式ディスプレイ装置は、請求項１記載の発明において、上記第２のカバー体は、上記ディスプレイが起立状態にあるとき、上記第１のカバー体と上記第２のカバー体の連結部を介して、上記第１のカバー体に対して内方に折れ曲がるように展開することを特徴とする。
【０００９】
また、請求項３記載の発明による収納式ディスプレイ装置は、請求項１または請求項２記載の発明において、上記ディスプレイが起立状態にあるとき上記ディスプレイの側面に沿って上記ディスプレイと上記回転式カバーとの間隙を閉塞する側板を有し、上記側板を複数の側板部材に分割して上記ディスプレイの起伏動作に連動する複数の部材に設けたことを特徴とする。
【００１０】
また、請求項４記載の発明による収納式ディスプレイ装置は、請求項３記載の発明において、上記側板の下縁部を外側水平に折り曲げて上記ディスプレイ収納ケースの側壁と摺接可能な摺接部を形成したことを特徴とする。
【００１１】
すなわち、請求項１記載の発明によれば、回転式カバーを、ディスプレイ収納ケースに揺動自在に軸支された第１のカバー体と、この第１のカバー体に揺動自在に連結された第２のカバー体とに分割形成し、上記第２のカバー体をディスプレイに揺動自在に連結することにより、回転式カバーとディスプレイとの軌道差を滑り対偶を形成することなく吸収することができる。
【００１２】
また、請求項２記載の発明によれば、上記ディスプレイが起立状態にあるとき、上記第２のカバー体は上記第１のカバー体に対して内方に折れ曲がるように展開することにより、上記第２のカバー体が庇として機能し、しかも、回転式カバー開成時の高さが低く抑えられる。
【００１３】
また、請求項３記載の発明によれば、上記ディスプレイが起立状態にあるとき上記ディスプレイの側面に沿って上記ディスプレイと上記回転式カバーとの間隙を閉塞する側板を、複数の側板部材に分割して上記ディスプレイの起伏動作に連動する複数の部材に設けたことにより、上記側板のディスプレイ収納ケースへの収納性が良好となる。
【００１４】
また、請求項４記載の発明によれば、上記側板の下縁部を外側水平に折り曲げて上記ディスプレイ収納ケースの側壁と摺接可能な摺接部を形成したことにより、上記側板の機能性が向上する。
【００１５】
【発明の実施の形態】
以下、図面を参照して本発明の実施の形態を説明する。図面は本発明の実施の一形態に係わり、図１はディスプレイ起立時におけるディスプレイ装置の要部断面図、図２はディスプレイ倒伏収納時におけるディスプレイ装置の要部断面図、図３はディスプレイ起立時におけるディスプレイ移動機構部の要部を示す説明図、図４はディスプレイ倒伏収納時におけるディスプレイ移動機構部の要部を示す説明図、図５はディスプレイ起立時におけるディスプレイ装置の側面図、図６はディスプレイ倒伏収納時におけるディスプレイ装置の側面図、図７はディスプレイ起立時におけるディスプレイ装置の正面図、図８はカバープレート及びディスプレイ収納ケースの要部断面図、図９はインストルメントパネルの斜視図、である。
【００１６】
図中符号１は、車載用の収納式ディスプレイ装置を示す。このディスプレイ装置１は、例えばインストルメントパネル２に設けられたエアコン用中央吹出口３の上部に配設されるもので（図９参照）、インストルメントパネル２内に配設されたディスプレイ収納ケース５と、このディスプレイ収納ケース５に収納可能なディスプレイとしての液晶ディスプレイ６と、液晶ディスプレイ６をディスプレイ収納ケース５に対して起立位置と倒伏収納位置とに変位させるディスプレイ移動機構部７と、液晶ディスプレイに連動してディスプレイ収納ケース５の開口部５ａを開閉する回転式カバー８と、を備えて構成されている（図１〜図４参照）。
【００１７】
すなわち、インストルメントパネル２はエアコン用中央吹出口３の上部に開口部２ａを有し、この開口部２ａ内の空間にディスプレイ収納ケース５がブラケット１０（図５〜７参照）等を介して固定されている。ここで、図１に示すように、開口部５ａは、ディスプレイ収納ケース５の後方寄りに設けられており、ディスプレイ収納ケース５がインストルメントパネル２で固定された際には開口部２ａに対向して臨まされる。
【００１８】
また、図３，４に示すように、ディスプレイ収納ケース５にはディスプレイ移動機構部７が設けられ、このディスプレイ移動機構部７を介して液晶ディスプレイ６が支持されている。ここで、ディスプレイ移動機構部７は、液晶ディスプレイ６の基部と中途とをディスプレイ収納ケース５に支持してリンク機構を構成するものである。
【００１９】
具体的に説明すると、ディスプレイ収納ケース５の左右側壁にはガイド溝１５が形成され、このガイド溝１５には、液晶ディスプレイ６の基部に固設された軸部１７が摺動自在に支持されている。また、ディスプレイ収納ケース５の左右側壁にはアーム部材１６の固定端が揺動自在に軸支されており、このアーム部材１６の自由端は液晶ディスプレイ６の背面側中途に揺動自在に連結されている。
【００２０】
ここで、ディスプレイ収納ケース５内には、シャフト部材１８がガイド溝１５に近接して前後に架設され、このシャフト部材１８には該シャフト部材１８に沿って進退移動可能なスライドプレート１９が取り付けられている。スライドプレート１９にはガイド溝１５に重畳する軸溝２０が設けられており、この軸溝２０は軸部１７に係合されている。そして、図示しないモータ等に駆動されてスライドプレート１９がシャフト部材１８上を進退移動すると、このスライドプレート１９によって軸部１７がガイド溝１５上を進退移動される。
【００２１】
図１，２に示すように、回転式カバー８は、ディスプレイ収納ケース５に揺動自在に支持された第１のカバー体２５と、この第１のカバー体２５に揺動自在に連結された第２のカバー体２６とに分割形成されている。
【００２２】
具体的に説明すると、第１のカバー体２５の左右両側には、液晶ディスプレイ６の側面に沿う第１の側板部材２５ａが一体に設けられ、この第１の側板部材２５ａが軸部２７を介してディスプレイ収納ケース５の上面に揺動自在に支持されている。
【００２３】
また、第１のカバー体２５の自由端側にはヒンジ部２８が設けられ、このヒンジ部２８を介して第２のカバー体２６の固定端側が揺動自在に連結されている。
【００２４】
また、第２のカバー体２６の左右両側には、液晶ディスプレイ６の側面に沿う第２の側板部材２６ａが一体に設けられ、この第２の側板部材２６ａの中途が軸部３０を介して液晶ディスプレイ６の側面に揺動自在に連結されている。
【００２５】
ここで、図２に示すように、回転式カバー８の閉成時には、第１，第２のカバー体２５，２６がインストルメントパネル２に面一であって且つ開口部２ａと略同形状をなす連続面を形成するとともに、回転式カバー８の開成時には、第２のカバー体２６がヒンジ部２８を介して第１のカバー体２５の内方に屈曲するよう、第１，第２のカバー体２５，２６の形状及びこれらの各連結位置等が設定されている。
【００２６】
また、第１，第２の側板部材２５ａ，２６ａは、回転式カバー８の開成時に互いに連接される（図１参照）とともに、回転式カバー８の閉成時にはディスプレイ収納ケース５内に収納可能（図２参照）な形状に形成されている。さらに、アーム部１６には液晶ディスプレイ６の側面に沿う第３の側板部材３１が固設されており、この第３の側板部材３１は、回転式カバー８の開成時には第１の側板部材２５ａに一部が重畳された状態で第１の側板部材２５ａに連設される（図１参照）とともに、回転式カバー８の閉成時には第１，第２の側板部材２５ａ，２６ａに重畳された状態でディスプレイ収納ケース５内に収納可能（図２参照）な形状に形成されている。そして、回転式カバー８の開成時には、これら第１，第２の側板部材２５ａ，２６ａ及び第３の側板部材３１によって側板３２が構成され、インストルメントパネル２の外部で液晶ディスプレイ６と回転式カバー８との間に形成される側部間隙を閉塞する。
【００２７】
ここで、図８に示すように、第３の側板部材３１の下縁部は、外側に水平に折り曲げられ、この部位がディスプレイ収納ケース５の側壁に摺接可能な摺接部３１ａとして形成されている。
【００２８】
次に、上記構成による作用について説明する。搭乗者等が例えばインストルメントパネル２上に配設された図示しないスイッチ等を操作し、図示しないモータ等に駆動されてスライドプレート１９がシャフト部材１８上を進退移動すると、軸部１７がガイド溝１５上を進退移動されて液晶ディスプレイ６が起立位置と倒伏収納位置との間で変位される。
【００２９】
詳しくは、スライドプレート１９によって軸部１７のガイド溝１５後方への移動が開始されると液晶ディスプレイ６は起立方向に回動しながら移動され、軸部１７がガイド溝１５の後端に達したとき、液晶ディスプレイ６は表示部が後方に指向された起立状態となる（図１，３，５，７参照）。
【００３０】
同時に、回転式カバー８は、軸部３０を介して液晶ディスプレイ６に連動され、軸部２７を支点として開方向に移動される。このとき、第２のカバー体２６が第１のカバー体２５に対して内方に屈曲されることにより、液晶ディスプレイ６と回転式カバー８との軌道の差が吸収される。そして、液晶ディスプレイ６が起立状態となったとき回転式カバー８は開成状態となる。
【００３１】
この回転式カバー８の開成時には、第１，第２の側板部材２５ａ，２６ａ及び第３の側板部材３１が互いに連接され、インストルメントパネル２の外部で液晶ディスプレイ６と回転式カバー８との側部間隙を閉塞する側板３２を形成する。このとき、第３の側板部材３１の下縁部に設けられた摺接部３１によって、ディスプレイ収納ケース５の側壁と側板３２との間隙は閉塞される。
【００３２】
また、第２のカバー体２６において軸部３０よりも自由端側の部位は、液晶ディスプレイ６の表示部に外光等が差し込むことを防止するための庇として機能する。
【００３３】
一方、スライドプレート１９によって軸部１７のガイド溝１５前方への移動が開始されると、液晶ディスプレイ６は倒伏方向に回動しながら移動され、軸部１７がガイド溝１５の前端に達したとき、ディスプレイ収納ケース５内で液晶ディスプレイ６は表示部が下方に指向された倒伏収納状態となる（図２，４，６参照）。
【００３４】
同時に、回転式カバー８は、軸部３０を介して液晶ディスプレイ６に連動され、軸部２７を支点として閉方向に移動される。このとき、第２のカバー体２６が第１のカバー体２５に対して外方に伸長されることにより、液晶ディスプレイ６と回転式カバー８との軌道の差が吸収される。そして、液晶ディスプレイ６が倒伏収納状態となったとき回転式カバー８はディスプレイ収納ケース５の開口部５ａを閉塞する閉成状態となる。
【００３５】
この回転式カバー８の閉成時には、第１，第２のカバー体２５，２６によってインストルメントパネル２と面一な連続面が形成され、この連続面によってインストルメントパネル２の開口部２ａが閉塞される。
【００３６】
このような実施の形態によれば、回転式カバー８を第１のカバー体２５と第２のカバー体２６とに分割形成し、これらをヒンジ部２８を介して揺動自在に連結することにより、液晶ディスプレイ６と回転式カバー８の移動時に生じる軌道差を回転式カバー８で吸収することができるので、液晶ディスプレイ６と回転式カバー８とを、これらの間に滑り対偶を形成することなく軸部３０を介して連結することができる。
【００３７】
従って、搭乗者等が回転式カバー８を持ち上げる等して液晶ディスプレイ６の上部に間隙を生じさせ、この間隙からディスプレイ収納ケース５内部の構造が外部にさらされたりディスプレイ収納ケース６内部に異物が混入されたりすることを防止できる。
【００３８】
また、液晶ディスプレイ６の起伏動作時に液晶ディスプレイ６と回転式カバー８との間でがたつき等が発生することを防止することができ、回転式カバーのスムーズな開閉を実現することができる。
【００３９】
また、回転式カバー８を第１のカバー体２５と第２のカバー体２６とに分割形成し、回転カバー８の開成時には第２のカバー体２６を第１のカバー体２５に対して屈曲させることにより、回転式カバー８の開成時における高さを低く抑えることができる。さらに、第２のカバー体２６の中途を液晶ディスプレイ６に連結することにより第２のカバー体２６の自由端側を庇として機能させることができ、回転式カバー８の機能性をより向上することができる。
【００４０】
また、回転式カバー８を第１のカバー体２５と第２のカバー体２６とに分割形成する際の分割位置や軸部３０による液晶ディスプレイ６との連結位置等を変更することにより、回転式カバー８の開成時における傾斜角度を任意に設定することができ、設計の自由度が向上する。
【００４１】
また、回転式カバー８の開成時にインストルメントパネル２の外部で液晶ディスプレイ６と回転式カバー８との間の側部間隙を閉塞する側板３２を設けることにより、ディスプレイ装置１の美観を向上することができるとともに、液晶ディスプレイ６と回転式カバー８との側部間隙からディスプレイ収納ケース５内部の構造が外部にさらされたりディスプレイ収納ケース６内部に異物が混入されたりすることを防止できる。この場合、側板３２を各側板部材２５ａ，２６ａ，３１で分割形成することにより回転式カバー８の閉成時における側板３２のディスプレイ収納ケース５内への収納性を良好なものとすることができる。さらに、第３の側板部材３１の下縁部にディスプレイ収納ケース５の側壁と摺接可能な摺接部３１ａを設けることにより側板３２の機能性を向上することができる。
【００４２】
【発明の効果】
以上説明したように本発明によれば、回転式カバーの機能性を向上することができ、しかも回転式カバーのスムーズな開閉を実現することができる。
【図面の簡単な説明】
【図１】ディスプレイ起立時におけるディスプレイ装置の要部断面図
【図２】ディスプレイ倒伏収納時におけるディスプレイ装置の要部断面図
【図３】ディスプレイ起立時におけるディスプレイ移動機構部の要部を示す説明図
【図４】ディスプレイ倒伏収納時におけるディスプレイ移動機構部の要部を示す説明図
【図５】ディスプレイ起立時におけるディスプレイ装置の側面図
【図６】ディスプレイ倒伏収納時におけるディスプレイ装置の側面図
【図７】ディスプレイ起立時におけるディスプレイ装置の正面図
【図８】カバープレート及びケースの要部断面図
【図９】インストルメントパネルの斜視図
【符号の説明】
１  ディスプレイ装置
５  ディスプレイ収納ケース
５ａ  開口部
６  液晶ディスプレイ（ディスプレイ）
８  回転式カバー
２５  第１のカバー体
２５ａ  第１の側板部材（側板部材）
２６  第２のカバー体
２６ａ  第２の側板部材（側板部材）
２７  軸部
２８  ヒンジ部
３０  軸部
３１  第３の側板部材（側板部材）
３２  側板
【図１】
0004541510.tif 000002
【図２】
0004541510.tif 000003
【図３】
0004541510.tif 000004
【図４】
0004541510.tif 000005
【図５】
0004541510.tif 000006
【図６】
0004541510.tif 000007
【図７】
0004541510.tif 000008
【図８】
0004541510.tif 000009
【図９】
0004541510.tif 000010